(57)【要約】【課題】綿棒やティッシュペーパなどに自然な毛細管力で吸収できる分量の内溶液を容易に含浸させることができる液体容器を提供する。【解決手段】内溶液２を収容するタンク３と、前記タンク３内部と外部とを連通する開口部５と、前記タンク３内部から前記開口部５に亘り連続的に配設されて該タンク３内の内溶液２を前記開口部５付近まで毛細管力により吸い上げることができる液体誘導体６と、前記タンク３内部と外部とを通気する通気孔８と、前記タンク３内の内溶液２の揮発を防止するキャップ７とを有するものとする。【選択図】　　　図１
2004010089.tif 000002
【特許請求の範囲】
【請求項１】
液体を収容するタンクと、
前記タンク内部と外部とを連通する開口部と、
前記タンク内部から前記開口部に亘り連続的に配設されて該タンク内の液体を前記開口部付近まで毛細管力により吸い上げることができる液体誘導体と、
前記タンク内部と外部とを通気する通気孔と、
前記タンク内の液体の揮発を防止するキャップとを有することを特徴とする液体容器。
【請求項２】
前記液体誘導体は、前記開口部に配設された一端部が外力により変形しても復元可能に構成されることを特徴とする請求項１に記載の液体容器。
【請求項３】
前記連通孔は、前記開口部近傍に形成されることを特徴とする請求項１または２に記載の液体容器。
【請求項４】
前記液体誘導体は、前記タンク内部から前記開口部に亘り外周部を包囲する筒状の保持部材を介して配設され、
前記連通孔は、前記保持部材とタンク内壁部とにより形成されることを特徴とする請求項１乃至３のうちの何れか一項に記載の液体容器。
【請求項５】
前記開口部付近に、該開口部に配設された液体誘導体の一端部を押圧した際に溢れる液体を収容する液体少量供給部を設けることを特徴とする請求項１乃至４のうちの何れか一項に記載の液体容器。
【発明の詳細な説明】
【０００１】
【発明の属する技術分野】
本発明は、液体容器の構造に関し、特に、タンク内に液体を充填した液体容器に関するものである。
【０００２】
【従来の技術】
通常、化粧品用リムーバや接着剤プライマーなどの液体製品は、単純なタンクとキャップからなる容器に充填されて使用される。
これらの製品を使用する際には、化粧品用リムーバなどの場合は、タンクを傾けて内溶液を直接綿棒やティッシュペーパに含浸させて使用することが多く、また、接着剤プライマーなどでの場合は、小皿などに内溶液を滴下して綿棒やティッシュペーパに含浸させて使用することが多い。
【０００３】
しかしながら、上述した何れの場合でも液量は調整が難しく、かなり過剰の内溶液を消費してしまうという欠点がある。特に、含浸部分の外径が１ｍｍ程度の小型綿棒などを使用して微細な塗布を行なう場合などには、内溶液が過剰に消費されるという問題がある。
【０００４】
また、綿棒などで一部部位の化粧を落とす時などは、綿棒に過剰の液が含浸されると、使用中に液が垂れ落ちたり、綿棒を皮膚に接触して押圧したときに綿棒が圧縮されて液が溢れて垂れ落ちたりするという不具合がある。
【０００５】
【発明が解決しようとする課題】
上記問題点を解決するために、タンク内全体にスポンジなどの吸蔵体を設けた液体を含浸させたものが知られているが、この場合、内溶液の残量が確認できないという問題点があった。
【０００６】
本発明は、上記従来の問題点に鑑みてなされたものであって、綿棒やティッシュペーパなどに自然な毛細管力で吸収できる分量の内溶液を容易に含浸させることができる液体容器を提供することを目的とするものである。
【０００７】
【課題を解決するための手段】
本発明は、液体容器に係り、液体を収容するタンクと、前記タンク内部と外部とを連通する開口部と、前記タンク内部から前記開口部に亘り連続的に配設されて該タンク内の液体を前記開口部付近まで毛細管力により吸い上げることができる液体誘導体と、前記タンク内部と外部とを通気する通気孔と、前記タンク内の液体の揮発を防止するキャップとを有することを特徴とするものである。
この構成によれば、タンク内より供給される液体は、液体誘導体の毛細管力により吸い上げられる分量となるため、綿棒やティッシュペーパなどを誘導体端部に接触させて綿棒などの毛管力を自然に吸い込ませるか、開口部の液体誘導体端部を押圧することで、その押圧加減に応じて液体誘導体端部に含浸された液体を綿棒やティッシュペーパなどに適量含浸させることができる。
【０００８】
また、本発明は、前記液体誘導体の構成を、前記開口部に配設された一端部が外力により変形しても復元可能とすることが好ましい。このように構成することで、液体誘導体の端部を変形させて含浸された液体を押し出しことができ、繰り返し使用することができる。
【０００９】
また、本発明は、前記連通孔を前記開口部近傍に形成することが好ましい。このように構成することで、キャップにより開口部を密閉する際に連通孔を同時に密閉することができ、密閉状態を確実にすることができる。
【００１０】
また、本発明は、前記液体誘導体を前記タンク内部から前記開口部に亘り外周部を包囲する筒状の保持部材を介して配設し、前記連通孔を前記保持部材とタンク内壁部とにより形成することが好ましい。このように構成することで、タンクと開口部とを簡単な構成で形成でき、かつ組立て作業を容易にして、しかも確実に連通孔を構成することができる。
【００１１】
また、本発明は、前記開口部付近に、該開口部に配設された液体誘導体の一端部を押圧した際に溢れる液体を収容する液体少量供給部を設けることが好ましい。このような構成によると、液体少量供給部に貯溜した所定量の液体を供給できるので、綿棒やティッシュペーパ等に液体を定量的に含浸させることができ、しかも小型の綿棒でも自然な毛細管力により液体を適宜に含浸させることができる。
【００１２】
【発明の実施の形態】
以下、本発明の第１実施形態を、図面を参照して詳細に説明する。
図１〜図４は発明を実施する形態の一例であって、図１は、本発明の第１実施形態に係る液体容器の全体構成を示す側面断面図、図２は前記液体容器による綿棒への液体供給操作を示す説明図、図３は前記液体容器の開口部近傍の液体供給時の詳細を示す拡大図、図４は前記液体容器の開口部近傍の液体供給状態を示す拡大図である。
【００１３】
第１実施形態の液体容器１は、図１に示すように、内部に中空部３ａを構成し内溶液２を収容するようにした円筒状のタンク３と、該タンク３の一部より円筒状に突設された液体供給部４とを備え、該液体供給部４の先端部に前記タンク３内部と外部とを連通する開口部５を形成し、前記タンク３内部から前記開口部５に亘り連続的に液体誘導体６を配設して、該タンク３内の内溶液２を前記開口部５付近まで毛細管力により吸い上げるように構成したものである。
【００１４】
前記開口部５近傍には、該開口部５を覆うようにキャップ７が着脱自在に嵌合装着され、開口部５および該開口部５近傍に形成される通気孔８を密閉して、タンク３内の液体２が前記開口部５や通気孔８から漏洩したり蒸発したりすることを防止している。
【００１５】
前記液体誘導体６は、多数の合成繊維束により略円柱状に構成され、前記開口部５付近に配設された先端部６ａが外力により変形しても復元可能に構成されている。また、前記液体誘導体６は、略円柱状の外周部を包囲する筒状の保持部材９を介して前記タンク３内のタンク底部３ｂ近傍から前記開口部５に亘り配設されている。
【００１６】
前記保持部材９は、前記液体供給部４の先端部４ａよりタンク底部３ｂ近傍に亘り略直線に延設され、特に先端部４ａに位置する部分には、円周方向に突設された鍔部９ａが形成されて前記先端部４ａ上に掛かるように構成されている。
【００１７】
前記液体供給部４内に保持部材９を嵌挿した状態で、図３、図４に示すように、前記液体供給部４の内壁面と保持部材９の外周面との間に通気孔８ａとなる隙間または溝部が構成されるとともに、前記液体供給部４の先端部４ａと前記保持部材９の鍔部９ａとの間に通気孔８ｂとなる隙間または溝部が構成されている。尚、前記通気孔８ａ、８ｂを連続的に構成したものを通気孔８と称するとともに図示するものとする。
【００１８】
前記通気孔８を通ってタンク３内部を外部に通気することで、タンク３内部の圧力が変動した場合、例えば、タンク３内部の内溶液が減少してタンク３内部の圧力が低下した場合に、前記通気孔８を介して減少した内溶液の分量だけ外部の空気をタンク３内部に取り込んで、タンク３内部の圧力を一定に保つようにしている。
【００１９】
次に、本実施形態に係る液体容器１の作用について図面を参照して詳細に説明する。
液体容器１内に内溶液２が充填されている状態では、図１、図２に示すように、液体誘導体６の毛細管力により常に液体誘導体６の先端まで内溶液２が含浸されている。タンク３内の内溶液２を使用する場合、図３に示すように、綿棒２０を液体供給部４の先端部の開口部５に配置して、開口部５内に露出している液体誘導体６の先端部６ａより内溶液２を綿棒２０に含浸させて使用する。
【００２０】
綿棒２０に内溶液２を含浸させるには、図４に示すように、まず、液体誘導体６の先端部６ａに綿棒２０を押し付けて開口部５内部に向かい変形させる。すると、前記先端部６ａは綿棒２０の押圧により圧縮変形して、液体誘導体６内部に含浸された内溶液２が先端部６ａの上側に滲み出す。
【００２１】
このとき、前記先端部６ａと綿棒２０とは接触しているので、綿棒２０は先端部６ａから内溶液２を吸収するとともに、滲み出た内溶液２を毛細管力により瞬時に吸収する。
こうして、前記綿棒２０に必要量の内溶液２を含浸させた後、該綿棒２０を液体誘導体６から離間して内溶液２の取り出しは終了する。
【００２２】
綿棒２０が液体誘導体６の先端部６ａより離間されると、図３に示すように、先端部６ａは弾性力により変形状態から復元してもとの形状に戻る。
このとき、先端部６ａ内に含浸された内溶液２の量は、一部が綿棒２０に吸収されたために所定の含浸量より減少するが、速やかに毛細管力によりタンク３内部の内溶液２が吸い上げられて補給され所定の含浸量に戻る。
こうして、液体誘導体６の先端部６ａは、次の内溶液２の供給に備えることができる。
【００２３】
以上のように、本実施形態を構成したので、液体容器１によれば、綿棒２０のように毛細管力を有するものを用いて、液体誘導体６の先端部６ａからいつでも簡単に内溶液２を取り出すことができる。
【００２４】
尚、本実施形態では、通気孔８を液体誘導体６の保持部材９と液体供給部との隙間に構成しているが、本発明は、タンク内部を通気する通気孔の構成に限定されるものではない。
【００２５】
例えば、本実施形態の変形例として、図５、図６に示すように、概ね本実施形態の液体容器１と同様な構成を有する液体容器１０１において、液体供給部１０４に嵌挿された円柱状の液体誘導体１０６の保持部材１０９の先端部１０９ａに、開口部１０５に近接して、且つ該開口部１０５よりも突出して通気孔１０８を構成するようにしたものであってもよい。
【００２６】
前記通気孔１０８は、突出部分に形成される先端側通気孔１０８ｂの開口面積よりも液体供給部１０４内側に形成されるタンク側通気孔１０８ａの開口面積の方が大きくなるように構成されている。この構成によれば、突出した通気孔１０８をノズルのように使用して、通気孔１０８より内溶液を少量ずつ流出させて、コットン、ティッシュペーパなどに必要量液体を含ませて使用することも可能となる。
【００２７】
また、本実施形態では、液体誘導体６を多数の合成繊維束により略円柱状に構成しているが、本発明は、液体誘導体６の構成に限定されるものではなく、例えば、液体誘導体を繊維束棒状体やスポンジなどの多孔質体により構成したものであってもよい。
【００２８】
さらに、例えば、図７に示すように、円柱状の液体誘導体２０６の略中央部に、毛管力を有するスリット２０８を軸線方向に沿って形成したものや、図８に示すように、円柱状の液体誘導体３０６の略中央部に、円周方向に向かい放射状に形成された毛管力を有するスリット３０８を軸線方向に沿って形成したものの適応も可能である。
【００２９】
また、本実施形態では、綿棒２０などにより液体誘導体６の端部６ａを押圧、変形させて液体を滲み出させて、これを該綿棒２０などに含浸させているが、本発明はこれに限定されるものではなく、液体誘導体の先端部を変形させるほど押圧せずに、綿棒などを接触させてその毛管力で液体を含浸させることも可能である。
【００３０】
次に、本発明の第２実施形態を、図面を参照して詳細に説明する。
図９〜図１４は、発明を実施する形態の第２の例であって、図９は、本発明の第２実施形態に係る液体容器の全体構成を示す側面断面図、図１０は前記液体容器に嵌挿される液体誘導体を保持する保持部材の構成を示す側面断面図、図１１は図１０のＢ矢視図、図１２は前記保持部材の中栓部近傍の構成を示す部分詳細断面図、図１３は前記液体誘導体からの液体供給時の内溶液を取り出す操作を示す部分詳細断面図、図１４は前記液体誘導体から所定量の内溶液を取り出した状態を示す部分詳細断面図である。
【００３１】
第２実施形態の液体容器４０１は、図９に示すように、内部に中空部４０３ａを構成し内溶液２を収容するようにした円筒状のタンク４０３と、該タンク４０３の一部より円筒状に突設された液体供給部４０４とを備え、該液体供給部４０４の先端部に前記タンク４０３内部と外部とを連通する開口部４０５を形成し、前記タンク４０３内部から前記開口部４０５に亘り連続的に液体誘導体６を配設して、該タンク４０３内の内溶液２を前記開口部４０５付近まで毛細管力により吸い上げるように構成したものである。
【００３２】
前記開口部４０５近傍には、該開口部４０５および後述する開口部４０５近傍に形成される通気孔４０８を覆うようにキャップ４０７が着脱自在に嵌合装着されている。
【００３３】
前記液体誘導体４０６は、多数の合成繊維束により略円柱状に構成され、前記開口部４０５付近に配設された先端部４０６ａが外力により変形しても復元可能に構成されている。また、前記液体誘導体４０６は、略円柱状の外周部を包囲する筒状の保持部材４０９の介して前記タンク４０３内のタンク底部４０３ｂ近傍から前記開口部４０５に亘り配設されている。
【００３４】
前記保持部材４０９は、図９、図１０に示すように、前記液体供給部４０４の先端部４０４ａよりタンク底部４０３ｂ近傍に亘り略直線に延設され、特に先端部４０４ａに位置する部分は、該先端部４０４ａの開口部分と嵌合される寸法で構成され、その上部には先端部４０４ａの開口部分より大径で段付き状に中栓部４０９ａが形成されている。
【００３５】
前記保持部材４０９の壁部内には、タンク４０３内部に配置される筒状部分を通って前記中栓部４０９ａの上面に亘り、タンク４０３内部と外部とを連通する通気孔４０８が形成されている。前記通気孔４０８の前記中栓部４０９ａ上面の開口部４０８ａは、図１１に示すように、該中栓部４０９ａの略中央部に形成された開口部４０５近傍に開口形成されている。また、前記通気孔４０８のタンク４０３内部への開口部４０８ｂは、該タンク４０３内部の上部寄りに開口形成されている。
【００３６】
前記通気孔４０８を通ってタンク３内部を外部に通気することで、タンク４０３内部の圧力が変動した場合、例えば、タンク４０３内部の内溶液が減少してタンク４０３内部の圧力が低下した場合に、前記通気孔４０８を介して減少した内溶液の分量だけ外部の空気をタンク４０３内部に取り込んで、タンク３内部の圧力を一定に保つようにしている。
【００３７】
前記開口部４０５付近には、図１１に示すように、平面視で該開口部４０５の一部と連続的に形成されるとともに該開口部４０５の内周より中栓部４０９ａ内側に湾入して形成され、且つ該中栓部４０９ａ上面より内部に凹んだ液体少量供給部４２０が形成されている。
【００３８】
前記液体少量供給部４２０は、図１２に示すように、開口部４０５に配置される液体誘導体４０６の先端部４０６ａの上端面より中栓部４０９ａ内部に深く切り欠かれ且つ前記開口部４０５の一部と連続的に形成された液体流入路４２１と、前記液体流入路４２１よりも中栓部４０９ａ内部に深く凹んで形成され、該液体流入路４２１に流れ込む内溶液２を貯溜するための貯溜部４２２が形成されている。
【００３９】
次に、第２実施形態に係る液体容器４０１の作用について図面を参照して詳細に説明する。
液体容器４０１内に内溶液２が充填されている状態では、図９、図１２に示すように、液体誘導体４０６の毛細管力により常に液体誘導体４０６の先端部４０６ａまで内溶液２が含浸されている。
【００４０】
タンク４０３内の内溶液２を使用する場合、図１３に示すように、まず、開口部４０５内に露出している液体誘導体４０６の先端部４０６ａに棒体３０を押し付けて開口部４０５内部に向かい変形させる。すると、先端部４０６ａは棒体３０の押圧により圧縮変形し、内部に含浸された内溶液２が先端部４０６ａの上側に押し出され、開口部４０５に隣接し且つ連通して設けられた液体流入路４２１を通って貯溜部４２２に流れ込む。
【００４１】
その後、図１４に示すように、棒体３０による押圧をやめて先端部４０６ａから離間させると、先端部４０６ａは弾性力により元の形状に復元する。その際、先端部４０６ａと接している内溶液２は再び先端部４０６ａより液体誘導体４０６に吸収されるが、貯溜部４２２に流入した内溶液２は先端部４０６ａに接していないため、液体誘導体４０６に吸収されることなく一定量が貯溜部４２２内に貯溜される。
【００４２】
内溶液２を使用するときは、前記貯溜部４２２に溜まった内溶液２を細い綿棒等の毛細管力を有するものに適量含浸させて使用する。
【００４３】
ここで、前記液体誘導体４０６においては、貯溜部４２２に貯溜されて減少した分の内溶液２は、速やかに毛細管力によりタンク４０３内部から吸い上げられて補給され所定の含浸量に戻る。こうして、前記液体誘導体６は、次の内溶液２の供給に備えることができる。
【００４４】
一方、タンク４０３内部においては、貯溜部４２２に貯溜された分量の内溶液２が減少するためタンク４０３内部の圧力が低下するが、通気孔４０８を介してタンク内で減少した容積分の空気が外部より供給されてタンク４０３内部の圧力は一定に保たれる。
【００４５】
以上のように、第２実施形態を構成したので、液体容器４０１によれば、内溶液を供給する開口部４０５近傍に液体少量供給部４２０を設けたことで、液体誘導体４０６から直接内溶液２を供給できるだけでなく、該液体少量供給部４２０の貯溜部４２２により精密に内溶液２を貯溜して定量的に供給できるので、綿棒２０やティッシュペーパ等に内溶液２を定量的に含浸させることができる。しかも、内溶液２が貯溜部４２２に取り置きされているので、小型の綿棒でも自然な毛細管力により液体を適宜に含浸させることができる。
【００４６】
尚、第２実施形態においても、前述した実施形態と同様に、液体誘導体４０６の構成や材質、通気孔４０８の構成などに限定されるものではなく、さらに、前述した図５〜図８に示す変形例のような構成に展開することは可能である。
【００４７】
【発明の効果】
以上、説明したように本発明の請求項１〜５に記載の液体容器によれば、簡単な構成で、綿棒やティッシュペーパなどに、過剰に供給すること無く、自然な毛細管力で吸収できる分量の内溶液を容易に含浸させることができるという優れた効果を奏する。
【００４８】
詳しくは、本発明によれば、液体容器において、液体を収容するタンクと、前記タンク内部と外部とを連通する開口部と、前記タンク内部から前記開口部に亘り連続的に配設されて該タンク内の液体を前記開口部付近まで毛細管力により吸い上げることができる液体誘導体と、前記タンク内部と外部とを通気する通気孔と、前記タンク内の液体の揮発を防止するキャップとを有することで、タンク内より供給される液体は、液体誘導体の毛細管力により吸い上げられる分量となるため、綿棒やティッシュペーパなどで開口部の液体誘導体端部を押圧することで、その押圧加減に応じて液体誘導体端部に含浸された液体を綿棒やティッシュペーパなどに適量含浸させることができる。
【００４９】
また、本発明によれば、前記液体誘導体の構成を、前記開口部に配設された一端部が外力により変形しても復元可能とすることで、液体誘導体の端部を変形させて含浸された液体を押し出すことができ、繰り返し使用することができる。
また、本発明によれば、前記連通孔を前記開口部近傍に形成することで、キャップにより開口部を密閉する際に連通孔を同時に密閉することができ、密閉状態を確実にすることができる。
【００５０】
また、本発明によれば、前記液体誘導体を前記タンク内部から前記開口部に亘り外周部を包囲する筒状の保持部材を介して配設し、前記連通孔を前記保持部材とタンク内壁部とにより形成することで、タンクと開口部とを簡単な構成で形成でき、かつ組立て作業を容易にして、しかも確実に連通孔を構成することができる。
【００５１】
また、本発明によれば、前記開口部付近に、該開口部に配設された液体誘導体の一端部を押圧した際に溢れる液体を収容する液体少量供給部を設けることで、液体少量供給部に貯溜した所定量の液体を供給できるので、綿棒やティッシュペーパ等に液体を定量的に含浸させることができ、しかも小型の綿棒でも自然な毛細管力により液体を適宜に含浸させることができる。
以上のような顕著な効果を奏する。
【図面の簡単な説明】
【図１】本発明の第１実施形態に係る液体容器の全体構成を示す側面断面図である。
【図２】前記液体容器による綿棒への液体供給操作を示す説明図である。
【図３】前記液体容器の開口部近傍の液体供給時の詳細を示す拡大図である。
【図４】前記液体容器の開口部近傍の液体供給状態を示す拡大図である。
【図５】第１実施形態に係る通気孔の変形例の構成を示す部分詳細側面断面図である。
【図６】図５のＡ矢視図である。
【図７】第１実施形態に係る液体誘導体の変形例として毛管力を有するスリットの構成を示す平面図である。
【図８】第１実施形態に係る液体誘導体の変形例として毛管力を有するその他のスリットの構成を示す平面図である。
【図９】本発明の第２実施形態に係る液体容器の全体構成を示す側面断面図である。
【図１０】前記液体容器に嵌挿される液体誘導体を保持する保持部材の構成を示す側面断面図である。
【図１１】図１０のＢ矢視図である。
【図１２】前記保持部材の中栓部近傍の構成を示す部分詳細断面図である。
【図１３】前記液体誘導体からの液体供給時の内溶液を取り出す操作を示す部分詳細断面図である。
【図１４】前記液体誘導体から所定量の内溶液を取り出した状態を示す部分詳細断面図である。
【符号の説明】
１、１０１、４０１　液体容器
２　内溶液
３、４０３　タンク
４、１０４、４０４　液体供給部
５、１０５、４０５　開口部
６、１０６、２０６、３０６、４０６　液体誘導体
７、４０７　キャップ
８、１０８、４０８　通気孔
９、１０９、４０９　保持部材
２０　綿棒
３０　棒体
２０８、３０８　スリット
４２０　液体少量供給部
４２１　液体流入路
４２２　貯溜部
【図１】
2004010089.tif 000003
【図２】
2004010089.tif 000004
【図３】
2004010089.tif 000005
【図４】
2004010089.tif 000006
【図５】
2004010089.tif 000007
【図６】
2004010089.tif 000008
【図７】
2004010089.tif 000009
【図８】
2004010089.tif 000010
【図９】
2004010089.tif 000011
【図１０】
2004010089.tif 000012
【図１１】
2004010089.tif 000013
【図１２】
2004010089.tif 000014
【図１３】
2004010089.tif 000015
【図１４】
2004010089.tif 000016